(57)【要約】【課題】  動画記録中に電子ズームを使用して拡大を行った後に静止画撮影を行った場合に、予期せぬ画質劣化を防ぐこと。【解決手段】    静止画を撮影する静止画モードと動画を撮影する動画モードとを有する撮像装置（１００）であって、指定された倍率に応じて電子ズームを行う電子ズーム手段（２０、２２、３２、５０）と、前記静止画モードにおける電子ズームの実行条件を設定する設定手段（７０）と、前記動画モードから前記静止画モードへ移行するときに電子ズームが実行されていた場合に、前記設定手段により設定された前記実行条件を判断する判断手段（５０）と、前記判断手段により判断された実行条件に応じて、前記電子ズーム手段による電子ズームを制御する制御手段（５０）とを有する。【選択図】  図１
2008205736.tif 000002
【特許請求の範囲】
【請求項１】
静止画を撮影する静止画モードと動画を撮影する動画モードとを有する撮像装置であって、
指定された倍率に応じて電子ズームを行う電子ズーム手段と、
前記静止画モードにおける電子ズームの実行条件を設定する設定手段と、
前記動画モードから前記静止画モードへ移行するときに電子ズームが実行されていた場合に、前記設定手段により設定された前記実行条件を判断する判断手段と、
前記判断手段により判断された実行条件に応じて、前記電子ズーム手段による電子ズームを制御する制御手段と
を有することを特徴とする撮像装置。
【請求項２】
前記実行条件は、電子ズームの有効と禁止とを含み、
前記制御手段は、前記判断手段により有効と判断された場合には、前記移行する際の前記動画モードにおける電子ズームの状態を引き継ぎ、禁止と判断された場合には、電子ズームを行わないように前記電子ズーム手段を制御することを特徴とする請求項１に記載の撮像装置。
【請求項３】
撮像素子から出力される画像データのうち、電子ズームの実行中に使用される画像データを構成する画素数が所定数以上かどうかを判定する判定手段を更に有し、
前記実行条件は電子ズームの条件付き許可を含み、前記判断手段により条件付き許可と判断された場合に、前記制御手段は、前記判定手段による判定を行い、前記画素数が前記所定数以上の場合に前記移行する際の前記動画モードにおける電子ズームの状態を引き継ぎ、前記画素数が前記所定数を下回る場合に、前記電子ズームの実行中に使用される画像データを構成する画素数が前記所定数以上となるまで前記電子ズームの倍率を下げるように制御することを特徴とする請求項１または２に記載の撮像装置。
【請求項４】
前記判定手段は、前記電子ズームの倍率が予め設定された倍率の範囲にあるかどうかを判定することにより、前記画素数が所定数以上かどうかを判定することを特徴とする請求項３に記載の撮像装置。
【請求項５】
前記所定数は、静止画の記録画素数であることを特徴とする請求項３または４に記載の撮像装置。
【請求項６】
前記所定数は、静止画を印刷する画素数であることを特徴とする請求項３または４に記載の撮像装置。
【請求項７】
静止画を撮影する静止画モードと動画を撮影する動画モードとを有し、指定された倍率に応じて電子ズームを行う電子ズーム手段を含む撮像装置の制御方法であって、
前記静止画モードにおける電子ズームの実行条件を設定する設定工程と、
前記動画モードから前記静止画モードへ移行するときに電子ズームが実行されていた場合に、前記設定工程で設定された前記実行条件を判断する判断工程と、
前記判断工程で判断された実行条件に応じて、前記電子ズーム手段による電子ズームを制御する制御工程と
を有することを特徴とする制御方法。
【発明の詳細な説明】
【技術分野】
【０００１】
本発明は、撮像装置及びその制御方法に関し、更に詳しくは、静止画と動画像とを撮影可能な撮像装置及びその制御方法に関する。
【背景技術】
【０００２】
近年、家庭用ビデオカメラやデジタルスチルカメラなどの撮像装置が一般に普及しているが、このような撮像装置には、静止画・動画を共に記録・再生する機能を有するものがある。更に、これらの中には光学ズームを有していても、作動音の問題から動画記録中は電子ズーム処理によるズーム操作が可能な機種もある（例えば、特許文献１を参照）。
【０００３】
また、近年では、静止画と動画のモードがシームレスなカメラも製品化されており、いちいちモードを切り替えなくとも、簡単に静止画または動画を切り替えて撮影可能な撮像装置も存在している。
【０００４】
【特許文献１】特開２００４−６４６７４号公報
【発明の開示】
【発明が解決しようとする課題】
【０００５】
しかしながら、静止画と動画のモードがシームレスなカメラにおいて、動画記録中に電子ズーム状態に入り、記録終了後にも電子ズームを保持したままであると、静止画でも画質劣化を伴う電子ズームを使用した撮影を、意図せずに行ってしまう可能性がある。
【課題を解決するための手段】
【０００６】
本発明は上記問題点を鑑みてなされたものであり、静止画を撮影する静止画モードと動画を撮影する動画モードとを有する本発明の撮像装置は、指定された倍率に応じて電子ズームを行う電子ズーム手段と、前記静止画モードにおける電子ズームの実行条件を設定する設定手段と、前記動画モードから前記静止画モードへ移行するときに電子ズームが実行されていた場合に、前記設定手段により設定された前記実行条件を判断する判断手段と、前記判断手段により判断された実行条件に応じて、前記電子ズーム手段による電子ズームを制御する制御手段とを有する。
【０００７】
また、静止画を撮影する静止画モードと動画を撮影する動画モードとを有し、指定された倍率に応じて電子ズームを行う電子ズーム手段を含む撮像装置の本発明の制御方法は、前記静止画モードにおける電子ズームの実行条件を設定する設定工程と、前記動画モードから前記静止画モードへ移行するときに電子ズームが実行されていた場合に、前記設定手段により設定された前記実行条件を判断する判断工程と、前記判断手段により判断された実行条件に応じて、前記電子ズーム手段による電子ズームを制御する制御工程とを有する。
【発明の効果】
【０００８】
本発明によれば、動画記録中に電子ズームを使用して拡大を行った後に静止画撮影を行っても、予期せぬ画質劣化を防ぐことが可能となる。
【発明を実施するための最良の形態】
【０００９】
以下、添付図面を参照して本発明を実施するための最良の形態を詳細に説明する。
【００１０】
図１は、本発明の実施の形態における画像処理機能を有する撮像装置の構成を示すブロック図である。なお撮像装置としては、デジタルカメラ、デジタルビデオカメラ、カメラ付き携帯端末（カメラ付き携帯電話を含む）等があり、被写体光学像を変換して電気的な画像信号を出力可能なものであれば、どのようなものであってもよい。
【００１１】
図１において、１００は撮像装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１２】
１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００１３】
２０は画像処理回路であり、Ａ／Ｄ変換器１６からのデータ或いはメモリ制御回路２２からのデータに対して所定の画素補間処理や色変換処理を行う。また、画像処理回路２０は、Ａ／Ｄ変換器１６から出力される画像データを用いて所定の演算処理を行う。そして、得られた演算結果に基づいてシステム制御回路５０が露光制御部４０、焦点調節部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００１４】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６から出力される画像データは、画像処理回路２０、メモリ制御回路２２を介して、或いはメモリ制御回路２２のみを介して、画像表示メモリ２４或いはメモリ３０に書き込まれる。
【００１５】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合には撮像装置１００の電力消費を大幅に低減することができる。
【００１６】
３０は撮影した静止画像や動画像を格納するためのメモリであり、所定枚数の静止画像や所定時間の動画像を格納するのに十分な記憶容量を備えている。これにより、複数枚の静止画像を連続して撮影する連写撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
３２は適応離散コサイン変換（ＡＤＣＴ）等、公知の圧縮方法を用いて画像データを圧縮・伸長する圧縮・伸長回路である。圧縮・伸長回路３２は、メモリ３０に格納された画像を読み込んで圧縮処理或いは伸長処理を行い、処理を終えたデータを再びメモリ３０に書き込む。
【００１８】
４０は露光制御部であり、絞り機能を備えるシャッター１２を制御する。露光制御部４０は、フラッシュ４８と連携することによりフラッシュ調光機能も有する。４２は撮影レンズ１０のフォーカシングを制御する焦点調節部、４４は撮影レンズ１０のズーミングを制御するズーム制御部、４６はバリア１０２の動作を制御するバリア制御部である。４８はフラッシュであり、ＡＦ補助光の投光機能、フラッシュ調光機能も有する。露光制御部４０及び焦点調節部４２はＴＴＬ方式を用いて制御されている。上述の通り、Ａ／Ｄ変換器１６からの画像データを画像処理回路２０によって演算した演算結果に基づき、システム制御回路５０が露光制御部４０及び焦点調節部４２を制御する。
【００１９】
５０は撮像装置１００全体を制御するシステム制御回路、５２はシステム制御回路５０の動作用の定数、変数、プログラム等を記憶するメモリである。
【００２０】
５４はシステム制御回路５０でのプログラムの実行に応じて、文字、画像、音声などを用いて動作状態やメッセージなどを外部に通知するための通知部である。通知部５４としては、例えばＬＣＤやＬＥＤなどによる視覚的な表示を行う表示部や音声による通知を行う発音素子などが用いられるが、これらのうち１つ以上の組み合わせにより構成される。特に、表示部の場合には、撮像装置１００の操作部７０近辺の、視認しやすい、単数あるいは複数箇所に設置されている。また、通知部５４は、その一部の機能が光学ファインダー１０４内に設置されている。
【００２１】
通知部５４の表示内容の内、ＬＣＤなどに表示するものとしては以下のものがある。まず、シングルショット／連写撮影表示、セルフタイマー表示等、撮影モードに関する表示がある。また、圧縮率表示、記録画素数表示、記録枚数表示、残撮影可能枚数表示等の記録に関する表示がある。また、シャッタースピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示なども行われる。
【００２２】
また、通知部５４の表示内容の内、光学ファインダー１０４内に表示するものとしては、合焦表示、手ぶれ警告表示、フラッシュ充電表示、シャッタースピード表示、絞り値表示、露出補正表示などがある。
【００２３】
５６は電気的に消去・記録可能な不揮発性メモリであり、例えばＥＥＰＲＯＭ等が用いられる。
【００２４】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２５】
ここで、これらの操作手段の具体的な説明を行う。
【００２６】
６０はモードダイアルスイッチで、電源オフ、自動撮影モード、プログラム撮影モード、パノラマ撮影モード、再生モード、マルチ画面再生・消去モード、ＰＣ接続モード等の各機能モードを切り替え設定することができる。
【００２７】
６２はシャッタースイッチＳＷ１で、不図示のシャッターボタンの第１ストローク（例えば半押し）によりＯＮとなり、ＡＦ処理、ＡＥ処理、ＡＷＢ処理、ＥＦ処理等の動作開始を指示する。
【００２８】
６４はシャッタースイッチＳＷ２で、不図示のシャッターボタンの第２ストローク（例えば全押し）によりＯＮとなり、露光処理、現像処理、及び記録処理からなる一連の処理の動作開始を指示する。まず、露光処理では、撮像素子１４から読み出した信号をＡ／Ｄ変換器１６、メモリ制御回路２２を介して画像データをメモリ３０に書き込み、更に、画像処理回路２０やメモリ制御回路２２での演算を用いた現像処理が行われる。更に、メモリ３０から画像データを読み出し、圧縮・伸長回路３２で圧縮を行い、記録媒体２００あるいは２１０に画像データを書き込む記録処理が行われる。
【００２９】
６６は動画記録スイッチである。静止画記録用のシャッタースイッチ６４と別々に用意することで、使用者は静止画モード・動画モードといったモードを意識することなく、記録したい方をすぐに指示することができる。
【００３０】
６８はズーム操作スイッチである。広角方向と望遠方向の２種類の指示（ズーム倍率の指定）を行うことができ、ぞれぞれの指示に応じて、撮影レンズ１０に含まれるズームレンズによる光学ズーム及び画像処理による電子ズームの処理を行う。ズーム倍率は、光学ズームによるズーム倍率と、電子ズームによるズーム倍率とを掛け合わせることにより達成することができる。
【００３１】
７０は各種ボタンやタッチパネルなどから成る操作部である。一例として、メニューボタン、セットボタン、マクロボタン、マルチ画面再生改ページボタン、フラッシュ設定ボタン、単写／連写／セルフタイマー切り換えボタン、メニュー移動＋（プラス）ボタン、メニュー移動−（マイナス）ボタンを含む。更に、再生画像移動＋（プラス）ボタン、再生画像移動−（マイナス）ボタン、撮影画質選択ボタン、露出補正ボタン、日付／時間設定ボタンなども含む。本実施の形態においては、更に、静止画モードにおける電子ズームの実行条件を設定する為の操作部材（設定手段）も含む。この実行条件は、動画撮影時と同様の電子ズームを許可する「有効」設定、電子ズームの実行を禁止する「禁止」設定、一定の条件を満たす範囲で電子ズームを許可する「条件付き許可」設定を含む。
【００３２】
８０は電源制御部で、電池検出回路、ＤＣ−ＤＣコンバータ、通電するブロックを切り替えるスイッチ回路等により構成されている。電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３３】
８２、８４はコネクタ、８６はアルカリ電池やリチウム電池等の一次電池やＮｉＣｄ電池やＮｉＭＨ電池、Ｌｉ−ｉｏｎ電池、Ｌｉポリマー電池等の二次電池、ＡＣアダプター等からなる電源部である。
【００３４】
９０及び９４はメモリカードやハードディスク等の記録媒体とのインタフェース、９２及び９６はメモリカードやハードディスク等の記録媒体と接続を行うコネクタである。９８はコネクタ９２及び／或いは９６に記録媒体２００或いは２１０が装着されているか否かを検知する記録媒体着脱検知回路である。
【００３５】
なお、本実施の形態では記録媒体を取り付けるインタフェース及びコネクタを２系統持つものとして説明しているが、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００３６】
インタフェース及びコネクタとしては、ＰＣＭＣＩＡ（Personal Computer Memory Card International Association）カードやＣＦ（コンパクトフラッシュ（登録商標））カード、ＳＤカード等の種々の記憶媒体の規格に準拠したものを用いて構成することが可能である。インタフェース９０及び９４、そしてコネクタ９２及び９６をＰＣＭＣＩＡカードやＣＦ（登録商標）カード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ等がある。これら各種通信カードを接続することにより、他のコンピュータやプリンタ等の周辺機器との間で画像データや画像データに付属した管理情報を転送し合うことができる。
【００３７】
１０２は、撮像装置１００のレンズ１０を含む撮像部を覆う事により、撮像部の汚れや破損を防止する保護装置であるバリアである。
【００３８】
１０４は光学ファインダであり、画像表示部２８による電子ファインダー機能を使用すること無しに、光学ファインダーのみを用いて撮影を行うことが可能である。また、光学ファインダー１０４内には、通知部５４の一部の機能、例えば、合焦状態、手振れ警告、フラッシュ充電、シャッタースピード、絞り値、露出補正などが表示される。
【００３９】
１１０は通信回路で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００４０】
１１２は通信回路１１０により撮像装置１００を他の機器と接続するコネクタ或いは無線通信の場合はアンテナである。
【００４１】
２００及び２１０はメモリカードやハードディスク等の記録媒体である。この記録媒体２００及び２１０は、それぞれ、半導体メモリや磁気ディスク等から構成される記録部２０２及び２１２、撮像装置１００とのインタフェース２０４及び２１４、撮像装置１００と接続を行うコネクタ２０６及び２１６を備えている。
【００４２】
記録媒体２００及び２１０としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＷＲ等の光ディスク、ＤＶＤ等の相変化型光ディスク等で構成されていても勿論構わない。
【００４３】
なお、本実施の形態における撮像装置として、レンズや鏡筒が本体と一体化された、いわゆるデジタルコンパクトカメラであるものとして説明したが、レンズ交換式の一眼レフタイプの撮像装置、または静止画撮影機能を有するビデオカメラなどが考えられる。
【００４４】
また、シャッター１２は、絞りとシャッターを兼用するレンズシャッタータイプとして説明したが、絞りとシャッターは独立していても良い。また、シャッターはフォーカルプレーン式のシャッターで構成されても良い。
【００４５】
また、上記例では、ＡＥやＡＦ、ＥＦなどの処理を撮像素子１４からの信号を基にして行う例を示した。しかし、一眼レフタイプの場合は、撮影時のみ撮像素子に露光がされるため、ＡＥ、ＡＦ、ＥＦなどの処理は通常撮像素子と別個のセンサを持ち、その信号をもとに処理が行われる。このような一眼レフタイプに本発明が適用可能であることは言うまでもない。
【００４６】
またズーム機能の無い単焦点レンズ内蔵の撮像装置であっても良いし、バリア１０２を有していなくとも良い。フラッシュ４８も内蔵でなく、外付けフラッシュであっても構わない。
【００４７】
また、操作系についてもモードダイヤルでなく、プッシュＳＷの組み合わせでモードが切り替え可能なように構成しても良い。
【００４８】
次に、図２乃至図７を参照して、本発明の実施の形態における上記構成を有する撮像装置１００の動作を説明する。
【００４９】
図２及び図３は本実施の形態の撮像装置１００の主ルーチンのフローチャートである。
【００５０】
図２において、電池交換等の電源投入により、システム制御回路５０はフラグや制御変数等を初期化し（ステップＳ１０１）、画像表示部２８の画像表示をＯＦＦ状態に初期設定する（ステップＳ１０２）。次にステップＳ１０３でシステム制御回路５０は、モードダイアル６０の設定位置を判断する。モードダイアル６０が電源ＯＦＦに設定されていたならば、システム制御回路５０は、各表示部の表示を終了状態に変更し、バリア１０２を閉じて撮像部を保護し、フラグや制御変数等を含む必要なパラメータや設定値、設定モードを不揮発性メモリ５６に記録する。更に、システム制御回路５０は、電源制御部８０により画像表示部２８を含む撮像装置１００各部の不要な電源を遮断する等の所定の終了処理を行った後（ステップＳ１０５）、ステップＳ１０３に戻る。
【００５１】
また、ステップＳ１０３でモードダイアル６０が撮影モードに設定されていたならば、ステップＳ１０６に進む。
【００５２】
また、ステップＳ１０３でモードダイアル６０がその他のモードに設定されていたならば、システム制御回路５０は選択されたモードに応じた処理を実行し（ステップＳ１０４）、処理を終えたならばステップＳ１０３に戻る。
【００５３】
ステップＳ１０６において、システム制御回路５０は、電源制御部８０により電池等により構成される電源８６の残容量や動作情況が撮像装置１００の動作に問題があるか否かを判断する。問題があるならば（ステップＳ１０６でＮＯ）通知部５４を用いて画像や音声により所定の警告を行った後に（ステップＳ１０８）、ステップＳ１０３に戻る。
【００５４】
一方、電源８６に問題が無いならば（ステップＳ１０６でＹＥＳ）、システム制御回路５０は記録媒体２００或いは２１０の動作状態が撮像装置１００の動作、特に記録媒体２００或いは２１０に対する画像データの記録再生動作に問題があるか否かを判断する。問題があるならば（ステップＳ１０７でＮＯ）通知部５４を用いて画像や音声により所定の警告を行った後に（ステップＳ１０８）、ステップＳ１０３に戻る。
【００５５】
記録媒体２００或いは２１０の動作状態に問題が無いならば（ステップＳ１０７でＹＥＳ）、通知部５４を用いて画像や音声により撮像装置１００の各種設定状態の告知を行う（ステップＳ１０９）。なお、画像表示部２８の画像表示をＯＮにして、画像表示部２８も用いて画像や音声により撮像装置１００の各種設定状態の告知を行うようにしてもよい。
【００５６】
ステップＳ１１０においては、画像表示部２８の画像表示をＯＮにし、撮像した画像データを逐次表示するスルー表示状態に設定して、図３のステップＳ１１１に進む。なお、スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８により逐次表示する。このようにして、画像モニタ機能を実現している。
【００５７】
ステップＳ１１１において、動画記録スイッチ６６が押されていれば、ステップＳ１１２へ進む。なお、ステップＳ１１２で行われる動画記録処理については図７を用いて後述する。
【００５８】
動画記録スイッチ６６が押されていなければステップＳ１１９に進み、シャッタースイッチＳＷ１の状態をチェックする。シャッタースイッチＳＷ１が押されていないならば、ステップＳ１０３に戻る。シャッタースイッチＳＷ１が押されたならば、ステップＳ１２２に進む。システム制御回路５０は、焦点調節処理を行って撮影レンズ１０の焦点を被写体に合わせ、測光処理を行って絞り値及びシャッタ時間を決定する（ステップＳ１２２）。測光の結果、必要であればフラッシュ・フラグをセットし、フラッシュの設定も行う。このステップＳ１２２で行う焦点調節・測光処理の詳細は図４を用いて後述する。
【００５９】
焦点調節・測光処理（ステップＳ１２２）を終えたならば、ステップＳ１２５に進む。シャッタースイッチＳＷ２が押されずに、さらにシャッタースイッチＳＷ１も解除されたならば（ステップＳ１２６）、ステップＳ１０３に戻る。シャッタースイッチＳＷ２が押されたならば（ステップＳ１２５）、ステップＳ１２９に進む。
【００６０】
次にステップＳ１２９において、システム制御回路５０は撮影処理を実行する。この撮影処理では、撮像素子１４、Ａ／Ｄ変換器１６、画像処理回路２０、メモリ制御回路２２を介して、或いはＡ／Ｄ変換器１６から直接メモリ制御回路２２を介して、メモリ３０に撮影した画像データを書き込む。なお、このステップＳ１２９における撮影処理の詳細は図５を用いて後述する。
【００６１】
撮影処理が終了するとステップＳ１３４に進み、システム制御回路５０は、メモリ３０に書き込まれた画像データを読み出して、メモリ制御回路２２そして必要に応じて画像処理回路２０を用いて各種画像処理を行う現像処理を実行する。更に、圧縮・伸長回路３２を用いて設定したモードに応じた画像圧縮処理を行った後、記録媒体２００或いは２１０へ画像データの書き込みを行う記録処理を実行する（ステップＳ１３４）。このステップＳ１３４における記録処理の詳細は図６を用いて後述する。
【００６２】
記録処理（ステップＳ１３４）が終了すると、システム制御回路５０は、一連の撮影動作を終えてステップＳ１０３に戻る。
【００６３】
図４は、図３のステップＳ１２２における焦点調節・測光処理の詳細なフローチャートを示す。システム制御回路５０は、撮像素子１４から電荷信号を読み出し、Ａ／Ｄ変換器１６を介して画像処理回路２０に画像データを逐次読み込む（ステップＳ２０１）。この逐次読み込まれた画像データを用いて、画像処理回路２０はＴＴＬ方式のＡＥ処理、ＥＦ処理、ＡＦ処理に用いる所定の演算を行う。
【００６４】
なお、ここでの各処理は、撮影した全画素数のうちの必要に応じた特定の部分を必要個所分切り取って抽出し、演算に用いる。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００６５】
システム制御回路５０は、画像処理回路２０での演算結果を用いて露出（ＡＥ）が適正と判断されるまで（ステップＳ２０２でＹＥＳとなるまで）、露光制御部４０を用いてＡＥ制御を行う（ステップＳ２０３）。そしてステップＳ２０４に進み、システム制御回路５０は、ＡＥ制御で得られた測定データを用いてフラッシュが必要か否かを判断する。フラッシュが必要ならば（ステップＳ２０４でＹＥＳ）フラッシュ・フラグをセットし、フラッシュ４８を充電する（ステップＳ２０５）。
【００６６】
露出（ＡＥ）が適正と判断したならば（ステップＳ２０２でＹＥＳ）、測定データ及び／或いは設定パラメータをシステム制御回路５０の内部メモリ或いはメモリ５２に記憶する。
【００６７】
次に、画像処理回路２０での演算結果及びＡＥ制御で得られた測定データを用いて、システム制御回路５０はホワイトバランス（ＡＷＢ）が適正かどうか判断する。適正であると判断されるまで（ステップＳ２０６でＹＥＳとなるまで）、画像処理回路２０を用いて色処理のパラメータを調節してＡＷＢ制御を行う（ステップＳ２０７）。
【００６８】
ＡＷＢが適正と判断したならば（ステップＳ２０６でＹＥＳ）、測定データ及び／或いは設定パラメータをシステム制御回路５０の内部メモリ或いはメモリ５２に記憶する。
【００６９】
次に、画像処理回路２０での演算結果及びＡＥ制御及びＡＷＢ制御で得られた測定データを用いて、システム制御回路５０は焦点調節（ＡＦ）を行う。そして、その結果が合焦と判断されるまで（ステップＳ２０８でＮＯの間）、焦点調節部４２を用いてＡＦ制御を行う（ステップＳ２０９）。
【００７０】
焦点調節（ＡＦ）の結果、合焦と判断したならば（ステップＳ２０８でＹＥＳ）、測定データ及び／或いは設定パラメータをシステム制御回路５０の内部メモリ或いはメモリ５２に記憶し、焦点調節・測光処理ルーチン（ステップＳ１２２）を終了する。
【００７１】
図５は、図３のステップＳ１２９における撮影処理の詳細なフローチャートを示す。
【００７２】
システム制御回路５０は、ステップＳ３０１において、システム制御回路５０の内部メモリ或いはメモリ５２に記憶された測光データを読み出す。そして、露光制御部４０により、絞り機能を有するシャッター１２を読み出した測光データに対応する絞り値に応じて開放して、撮像素子１４の露光を開始する（ステップＳ３０２）。
【００７３】
ステップＳ３０３で、フラッシュ・フラグがセットされているかをチェックしてフラッシュ４８が必要か否かを判断し、必要な場合にはフラッシュ４８を発光させる（ステップＳ３０４）。システム制御回路５０は、測光データに従って撮像素子１４の露光終了を待ち（ステップＳ３０５）、シャッター１２を閉じて（ステップＳ３０６）、撮像素子１４から電荷信号を読み出す。そして、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ３０７）。
【００７４】
設定された撮影モードに応じて、色処理（ステップＳ３１０）を順次行った後、メモリ３０に処理を終えた画像データを書き込む。
【００７５】
一連の処理を終えたならば、撮影処理ルーチン（ステップＳ１１３）を終了する。
【００７６】
図６は、図３のステップＳ１３４における記録処理の詳細なフローチャートを示す。
【００７７】
ステップＳ４０２において、システム制御回路５０は、メモリ制御回路２２を用いて、メモリ３０に書き込まれた色処理が施された画像データを読み出して、設定したモードに応じた画像圧縮処理を圧縮・伸長回路３２で行う。そして、インタフェース９０或いは９４、コネクタ９２或いは９６を介して、メモリカードやコンパクトフラッシュ（登録商標）カード等の記録媒体２００或いは２１０へ圧縮した画像データの書き込みを行う（ステップＳ４０３）。
【００７８】
記録媒体への書き込みが終わったならば、記録処理ルーチン（ステップＳ１３４）を終了する。
【００７９】
図７は、図３のステップＳ１１１における動画記録処理の詳細なフローチャートを示す。この動画記録処理は、システム制御回路５０（制御手段）の制御の下、実行される。
【００８０】
この処理は、動画記録スイッチ６６が押下されると開始される（動画モードへの移行）。まずステップＳ５０１において、システム制御回路５０は、ズーム操作スイッチ６８の状態を調べ、電子ズームが実行されているかどうかを判断する。電子ズームが実行されていればステップＳ５０２に進み、メモリ３０に書き込まれた画像データのうち、ズーム操作スイッチ６８の操作（電子ズーム倍率）に応じて、メモリ制御回路２２を介して必要な画素数の画像データを読み出す。そして、読み出した画像データに対して画像処理回路２０を用いて拡大処理を行い、再度メモリ３０に画像を書き戻す。このように、本実施の形態においては、メモリ３０、メモリ制御回路２２、画像処理回路２０、システム制御回路５０により、電子ズーム手段が実現される。なお、このときの電子ズーム倍率をＮとする。
【００８１】
そして、ステップＳ５０３において、上述した図３のステップＳ１３４における記録処理と同様に、メモリ３０に書き込まれた画像に対して圧縮処理を圧縮・伸長回路３２で行い、記録媒体２００或いは２１０へ圧縮した画像データの書き込みを行う。
【００８２】
これらの記録処理を記録終了指示があるまで続け、動画記録スイッチ６６が再度押下されると、動画記録処理を終了する（ステップＳ５０４）（静止画モードへの移行）。
【００８３】
ここから撮影待機状態に戻ることになるが、このときシステム制御回路５０は静止画モードで電子ズームが「禁止」に設定されているかを調べる（ステップＳ５０５）。電子ズームが「禁止」に設定されていたならば、電子ズームを行わないようにするために、電子ズーム倍率Ｎから１に変更する（ステップＳ５０６）。
【００８４】
一方、電子ズームが「禁止」に設定されていない場合、さらに「条件付き許可」が設定されているかどうかを調べる（ステップＳ５０７）。
【００８５】
上述したように、「条件付き許可」では一定の条件を満たす範囲で電子ズームを許可するが、ここでは一定の条件として画質劣化を伴わない電子ズーム倍率の範囲とする。具体的には、撮像素子１４により取得し、メモリ３０に記憶した画像データの内、電子ズームの実行中に使用される画像データ（画像切り出し領域）の画素数と、所定数、例えば、最終記録画素数とを比較する。そして、画像切り出し領域の画素数が最終記録画素数を下回らない倍率の範囲でのみ電子ズームを許可する。
【００８６】
なお、画像切り出し領域の画素数を比較する所定数は最終記録画素数に限るものではなく、例えば、印刷に耐え得る画素数としてもよい。また、操作部７０による操作に応じて、ユーザーによる変更、設定が可能なように構成しても良い。以下、このような比較の基準とする画素数を「基準画素数」と呼ぶ。
【００８７】
システム制御回路５０は、実行条件として「条件付き許可」が設定されていなければ（ステップＳ５０７でＮＯ）、ステップＳ５０８へ進む。この場合「有効」が設定されているものとし、電子ズーム倍率をＮのまま変更せず（ステップＳ５０８）、動画モード時の電子ズームの状態をそのまま引き継ぐ。一方、「条件付き許可」が設定されていれば、現在の電子ズーム倍率Ｎが基準画素数を下回らないような倍率かどうかを判定する（ステップＳ５０９）。基準画素数以上であると判定されればステップＳ５０８に進み、電子ズーム倍率Ｎを変更しない。一方、基準画素数を下回ると判定されれば、基準画素数を下回らない倍率まで電子ズーム倍率を下げる（ステップＳ５１０）。このステップＳ５０９における判定は、システム制御回路５０により実行される（判定手段）。
【００８８】
なお、撮像素子１４の画素数は分かっているため、ある電子ズーム倍率において拡大処理必要な画素数は予め分かっている。従って、電子ズーム倍率Ｎが、基準画素数を必要とする電子ズーム倍率と、倍率１との間にあるかどうか、即ち、予め設定された倍率の範囲にあるかどうかを判定することにより、ステップＳ５０９における基準画素数以上かどうかの判定を実現することができる。
【００８９】
そして、動画記録終了後の電子ズーム倍率Ｎが決定されると、その電子ズーム倍率を用いてスルー表示を再開し（ステップＳ５１１）、図３のステップＳ１１１に戻る。
【００９０】
上記の通り本実施の形態によれば、動画記録中に電子ズームを使用して拡大を行った後に静止画撮影を行っても、予期せぬ画質劣化を防ぐことが可能となる。
【００９１】
なお、上記実施の形態においては、動画記録スイッチ６６を１回押下したときから次に押下するまでの間の動画撮影を行っている期間を動画モードの期間、それ以外の期間を静止画モードの期間として説明した。しかしながら本発明はこれに限るものではなく、例えば、モードダイアルスイッチ６０により静止画モードと動画モードとを切り替えるように構成するなど、適宜変更することが可能である。
【図面の簡単な説明】
【００９２】
【図１】本発明の実施の形態における撮像装置の構成を示すブロック図である。
【図２】本発明の実施の形態における主ルーチンの一部を示すフローチャートである。
【図３】本発明の実施の形態における主ルーチンの一部を示すフローチャートである。
【図４】本発明の実施の形態における焦点調節・測光ルーチンのフローチャートである。
【図５】本発明の実施の形態における撮影ルーチンのフローチャートである。
【図６】本発明の実施の形態における記録ルーチンのフローチャートである。
【図７】本発明の実施の形態における動画記録ルーチンのフローチャートである。
【符号の説明】
【００９３】
１０：撮影レンズ、１２：シャッター、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：露光制御部、４２：焦点調節部、４４：ズーム制御部、４６：バリア制御部、４８：フラッシュ、５０：システム制御回路、５２：メモリ、５４：通知部、５６：不揮発性メモリ、６０：モードダイアルスイッチ、６２：シャッタースイッチＳＷ１、６４：シャッタースイッチＳＷ２、６６：動画記録スイッチ、６８：ズーム操作スイッチ、７０：操作部、８０：電源制御部、８２、８４：コネクタ、８６：電源、９０、９４：入出力Ｉ／Ｆ、９２、９６：コネクタ、９８：記録媒体着脱検知部、１００：撮像装置、１０２：バリア、１１０：通信回路、１１２：コネクタ（アンテナ）、２００、２１０：記録媒体、２０２、２１２：記録部、２０４、２１４：インタフェース、２０６、２１６：コネクタ
【図１】
2008205736.tif 000003
【図２】
2008205736.tif 000004
【図３】
2008205736.tif 000005
【図４】
2008205736.tif 000006
【図５】
2008205736.tif 000007
【図６】
2008205736.tif 000008
【図７】
2008205736.tif 000009